(57)【特許請求の範囲】
【請求項１】
印刷装置にて複数の色材を記録媒体に付着させて印刷を実行させるにあたり、前記色材の使用量の組み合わせである色材量セットを前記印刷装置に指定し、当該色材量セットに基づく印刷を実行させる印刷制御装置であって、
ターゲットの分光反射率をターゲット分光反射率として取得するターゲット分光反射率取得手段と、
前記ターゲット分光反射率と前記色材量セットとの対応関係を規定したルックアップテーブルを参照することにより、前記ターゲット分光反射率に対応する前記色材量セットを取得し、該色材量セットを前記印刷装置に指定して印刷を実行させる印刷制御手段とを具備するとともに、
前記ルックアップテーブルにおいては、
前記色材量セットと、当該色材量セットを前記印刷装置に指定して印刷を実行させた場合に前記記録媒体上で再現される分光反射率との近似性が高い前記ターゲット色彩値と、の対応関係が規定されるとともに、
前記近似性の評価においては、前記記録媒体上で再現される分光反射率の各波長の値に、前記各波長に応じて値が変化する重み関数が加味され、
前記重み関数の前記各波長に応じた値は、当該波長に対応する前記ターゲット分光反射率の値に基づいて設定されることを特徴とする印刷制御装置。
【請求項２】
複数の色材を記録媒体に付着させて印刷を実行する印刷装置と、前記色材の使用量の組み合わせである色材量セットを前記印刷装置に指定し、当該色材量セットに基づく印刷を実行させる印刷制御装置とからなる印刷システムであって、
ターゲットの分光反射率をターゲット分光反射率として取得するターゲット分光反射率取得手段と、
前記ターゲット分光反射率と前記色材量セットとの対応関係を規定したルックアップテーブルを参照することにより、前記ターゲット分光反射率に対応する前記色材量セットを取得し、該色材量セットを前記印刷装置に指定して印刷を実行させる印刷制御手段とを具備するとともに、
前記ルックアップテーブルにおいては、
前記色材量セットと、当該色材量セットを前記印刷装置に指定して印刷を実行させた場合に前記記録媒体上で再現される分光反射率との近似性が高い前記ターゲット色彩値と、の対応関係が規定されるとともに、
前記近似性の評価においては、前記記録媒体上で再現される分光反射率の各波長の値に、前記各波長に応じて値が変化する重み関数が加味され、
前記重み関数の前記各波長に応じた値は、当該波長に対応する前記ターゲット分光反射率の値に基づいて設定されることを特徴とする印刷システム。
【請求項３】
印刷装置にて複数の色材を記録媒体に付着させて印刷を実行させるにあたり、前記色材の使用量の組み合わせである色材量セットを前記印刷装置に指定し、当該色材量セットに基づく印刷を実行させる機能をコンピュータに実行させるためのコンピュータ読み取り可能な印刷制御プログラムであって、
ターゲットの分光反射率をターゲット分光反射率として取得するターゲット分光反射率取得機能と、
前記ターゲット分光反射率と前記色材量セットとの対応関係を規定したルックアップテーブルを参照することにより、前記ターゲット分光反射率に対応する前記色材量セットを取得し、該色材量セットを前記印刷装置に指定して印刷を実行させる印刷制御機能とをコンピュータに実行させるとともに、
前記ルックアップテーブルにおいては、
前記色材量セットと、当該色材量セットを前記印刷装置に指定して印刷を実行させた場合に前記記録媒体上で再現される分光反射率との近似性が高い前記ターゲット色彩値と、の対応関係が規定されるとともに、
前記近似性の評価においては、前記記録媒体上で再現される分光反射率の各波長の値に、前記各波長に応じて値が変化する重み関数が加味され、
前記重み関数の前記各波長に応じた値は、当該波長に対応する前記ターゲット分光反射率の値に基づいて設定されることを特徴とするコンピュータ読み取り可能な印刷制御プログラム。
【発明の詳細な説明】
【技術分野】
【０００１】
本発明は、印刷制御装置、印刷システムおよび印刷制御プログラムに関し、特にターゲットを再現させるための印刷制御装置、印刷システムおよび印刷制御プログラムに関する。
【背景技術】
【０００２】
分光的な再現性に注目した印刷方法が提案されている（特許文献１参照。）。この文献においては、ターゲット画像に分光的かつ測色的に一致するような印刷を行うために、プリンティングモデルを使用し、ターゲットの分光反射率（ターゲットスペクトル）にフィッティングするようにプリンタ色（ＣＭＹＫＯＧ）の組み合わせを最適化している。このようにすれば、当該プリンタ色（ＣＭＹＫＯＧ）に基づく印刷を行うことにより、分光的にターゲット画像が再現でき、結果として測色的にも再現性の高い印刷結果を得ることができる。
【特許文献１】特表２００５−５０８１２５号公報
【発明の開示】
【発明が解決しようとする課題】
【０００３】
しかしながら、プリンタ等の印刷装置で使用可能なインク等の色材の種類は有限であり、すべての可視波長域においてターゲットの分光反射率を正確に再現することは困難である。そのため、分光反射率のフィッティングが十分な程度までに到達しない場合も発生し、色の再現性が不十分なものに留まってしまうという問題があった。特に、人間の視覚にほとんど寄与しないような波長域についてまで分光反射率をフィッティングしようとしたために、かえって人間の視覚に大きく寄与する波長域での分光反射率の再現精度が低下し、視覚的な再現精度が悪く感じられるという問題があった。
【０００４】
本発明は、前記課題にかんがみてなされたもので、分光的な再現性を確保しつつ視覚的な再現性も確保する印刷制御装置、印刷制御方法および印刷制御プログラムを提供する。
【課題を解決するための手段】
【０００５】
前記課題を解決するために、ターゲット分光反射率取得手段は、ターゲットの分光反射率をターゲット分光反射率として取得する。印刷制御手段は、前記ターゲット分光反射率と前記色材量セットとの対応関係を規定したルックアップテーブルを参照する。これにより、前記ターゲット分光反射率に対応する前記色材量セットを取得し、該色材量セットを前記印刷装置に指定して印刷を実行させる。前記ルックアップテーブルにおいては、前記色材量セットと、当該色材量セットを前記印刷装置に指定して印刷を実行させた場合に前記記録媒体上で再現される分光反射率との近似性が高い前記ターゲット色彩値と、の対応関係が規定される。この近似性の評価においては、波長によって異なる重みが加味されることとなる。
【０００６】
なお、前記ターゲット分光反射率取得手段は、実際に前記ターゲットについての分光反射率測定を行うことにより前記ターゲット分光反射率を取得してもよいし、ユーザー等から前記ターゲット分光反射率の選択を受け付けてもよい。また、前記印刷装置は少なくとも複数の前記色材を前記記録媒体に付着させることができればよく、インクジェットプリンタやレーザープリンタや昇華型プリンタ等の種々の印刷装置に本発明を適用することができる。
【０００７】
また、前記重みの好適な一例として、人間の目の分光感度特性に基づいて設定されるものを適用してもよい。このようにすることにより、人間の分光感度が敏感な波長について優先的に分光反射率を近似させることができ、視覚的に再現精度のよい印刷結果を得ることができる。より具体的な例として、前記重みが３刺激値に対応する各等色関数の線形結合に基づいて設定されるようにしてもよい。このようにすれば、３刺激値に対応する各等色関数に対応する波長域を総合的に重視することが可能な前記重みを設定することができる。
【０００８】
さらに、前記重みが前記ターゲット分光反射率に基づいて設定されてもよい。例えば、前記ターゲット分光反射率が強いスペクトルを有している波長域については、分光反射率の近似性が最終的に視覚に大きく影響すると考えられるため、当該波長域を優先させて近似させることが望ましい。また、前記重みが所定の光源の分光エネルギー分布に基づいて設定されてもよい。所定の光源の分光エネルギー分布に応じて前記重みを設定することにより、光源が強いスペクトルを有している波長域について優先させて近似させることでき、当該光源における視覚的再現性を向上させることができる。また、単一光源のみならず複数光源での再現性を総合的に考慮して、前記重みを複数光源の分光エネルギーの線形結合に基づいて設定されるようにしてもよい。
【０００９】
さらに、本発明の技術的思想は、具体的な印刷制御装置にて具現化されるのみならず、その方法としても具現化することができる。すなわち、上述した印刷制御装置が行う各手段に対応する工程を有する方法としても本発明を特定することができる。むろん、上述した印刷制御装置がプログラムを読み込んで上述した各手段を実現する場合には、当該各手段に対応する機能を実行させるプログラムや当該プログラムを記録した各種記録媒体においても本発明の技術的思想が具現化できることは言うまでもない。なお、本発明の印刷制御装置は、単一の装置のみならず、複数の装置によって分散して存在可能であることはいうまでもない。例えば、印刷制御装置が有する各手段が、パーソナルコンピュータ上で実行されるプリンタドライバと、プリンタの双方において分散することも可能である。また、プリンタ等の印刷装置に本発明の印刷制御装置の各手段を包含させることも可能である。
【発明を実施するための最良の形態】
【００１０】
以下、下記の順序に従って本発明の実施形態を説明する。
１．印刷制御装置の構成：
２．印刷データ生成処理：
３．印刷制御処理：
３−１．１Ｄ−ＬＵＴ作成処理：
３−２．印刷制御データ生成処理：
４．分光プリンティングモデル：
５．変形例：
５−１：変形例１：
５−２：変形例２：
５−３：変形例３：
５−４：変形例４：
５−５：変形例５：
５−６：変形例６：
５−７：変形例７：
５−８：変形例８：
【００１１】
１．印刷制御装置の構成
図１は、本発明の一実施形態にかかる印刷制御装置のハードウェア構成を示している。同図において、印刷制御装置は主にコンピュータ１０によって構成されており、コンピュータ１０はＣＰＵ１１とＲＡＭ１２とＲＯＭ１３とハードディスクドライブ（ＨＤＤ）１４と汎用インターフェイス（ＧＩＦ）１５とビデオインターフェイス（ＶＩＦ）１６と入力インターフェイス（ＩＩＦ）１７とバス１８とから構成されている。バス１８は、コンピュータ１０を構成する各要素１１〜１７の間でのデータ通信を実現するものであり、図示しないチップセット等によって通信が制御されている。ＨＤＤ１４には、オペレーティングシステム（ＯＳ）を含む各種プログラムを実行するためのプログラムデータ１４ａが記憶されており、当該プログラムデータ１４ａをＲＡＭ１２に展開しながらＣＰＵ１１が当該プログラムデータ１４ａに準じた演算を実行する。ＧＩＦ １５は、例えばＵＳＢ規格に準じたインターフェイスを提供するものであり、外部のプリンタ２０と分光反射率計３０をコンピュータ１０に接続させている。ＶＩＦ １６はコンピュータ１０を外部のディスプレイ４０に接続し、ディスプレイ４０に画像を表示するためのインターフェイスを提供する。ＩＩＦ １７はコンピュータ１０を外部のキーボード５０ａとマウス５０ｂに接続し、キーボード５０ａとマウス５０ｂからの入力信号をコンピュータ１０が取得するためのインターフェイスを提供する。
【００１２】
図２は、コンピュータ１０にて実行されるプログラムのソフトウェア構成を概略的なデータの流れとともに示している。同図において、コンピュータ１０では、おもにＯＳ Ｐ１と見本印刷アプリケーション（ＡＰＬ）Ｐ２と１Ｄ−ＬＵＴ生成アプリケーション（ＬＵＧ）Ｐ３ａとプリンタドライバ（ＰＤＶ）Ｐ３ｂと分光反射率計ドライバ（ＭＤＶ）Ｐ４とディスプレイドライバ（ＤＤＶ）Ｐ５が実行されている。ＯＳ Ｐ１は、各プログラムが使用可能なＡＰＩのひとつとして画像機器インターフェイス（ＧＤＩ） Ｐ１ａとスプーラＰ１ｂを提供しており、ＡＰＬ Ｐ２の要求に応じてＧＤＩ Ｐ１ａが呼び出され、さらにＧＤＩ Ｐ１ａの要求に応じてＰＤＶ Ｐ３ｂやＤＤＶ Ｐ５が呼び出される。ＧＤＩ Ｐ１ａはコンピュータ１０がプリンタ２０やディスプレイ４０等の画像出力装置における画像出力を制御するための汎用的な仕組みを提供し、一方のＰＤＶ Ｐ３ｂやＤＤＶ Ｐ５はプリンタ２０やディスプレイ４０の機種固有の処理等を提供する。また、スプーラＰ１ｂは、ＡＰＬ Ｐ２やＰＤＶ Ｐ３ｂやプリンタ２０の間に介在し、ジョブのコントロール等を実行する。ＡＰＬ Ｐ２は、見本チャートＳＣを印刷するためのアプリケーションプログラムであり、ＲＧＢビットマップ形式の印刷データＰＤを生成し、ＧＤＩ Ｐ１ａに対して当該印刷データＰＤを出力する。また、印刷データＰＤを生成するにあたっては、ＭＤＶ Ｐ４からターゲットの測色データＭＤを取得する。ＭＤＶ Ｐ４は、ＡＰＬ Ｐ２の要求に応じて分光反射率計３０を制御し、当該制御によって得られた分光反射率データＲＤをＡＰＬ Ｐ２に出力する。
【００１３】
ＡＰＬ Ｐ２が生成した印刷データＰＤはＧＤＩ Ｐ１ａやスプーラＰ１ｂを経由してＰＤＶ Ｐ３ｂに出力され、ＰＤＶ Ｐ３ｂが印刷データＰＤに基づいてプリンタ２０に出力可能な印刷制御データＣＤを生成する処理を実行する。ＰＤＶ Ｐ３ｂが生成した印刷制御データＣＤはＯＳ Ｐ１が提供するスプーラＰ１ｂを介してプリンタ２０に出力され、プリンタ２０が当該印刷制御データＣＤに基づく動作を行うことにより見本チャートＳＣを印刷用紙上に印刷させる。以上においては、全体の処理の流れ概略的に説明したが、以下、フローチャートを用いて各プログラムＰ１〜Ｐ４が実行する処理を詳細に説明する。
【００１４】
２．印刷データ生成処理
図３は、ＡＰＬ Ｐ２が実行する印刷データ生成処理の流れを示している。図２に示すようにＡＰＬ Ｐ２はＵＩ部（ＵＩＭ）Ｐ２ａと測定制御部（ＭＣＭ）Ｐ２ｂと印刷データ生成部（ＰＤＧ）Ｐ２ｃとから構成されており、これらの各モジュールＰ２ａ，Ｐ２ｂ，Ｐ２ｃが図３に示す各ステップを実行する。ステップＳ１００においては、ＵＩＭ Ｐ２ａがＧＤＩ Ｐ１ａおよびＤＤＶ Ｐ５を介して、見本チャートＳＣを印刷させる旨の印刷指示を受け付けるためのＵＩ画面を表示させる。前記ＵＩ画面においては、見本チャートＳＣのテンプレートを示す表示が設けられている。
【００１５】
図４は、前記ＵＩ画面の一例を示している。同図において、前記テンプレートＴＰが表示されており、当該テンプレートＴＰにはカラーパッチをレイアウトするための１２個の枠ＦＬ１〜ＦＬ１２が設けられている。前記ＵＩ画面には各枠ＦＬ１〜ＦＬ１２をマウス５０ｂのクリックによって選択することが可能となっており、枠ＦＬ１〜ＦＬ１２をクリックすると分光反射率測定を開始させるか否かを指示するための選択ウィンドウＷが表示される。また、前記ＵＩ画面においては、見本チャートＳＣの印刷を実行させるか否かを指示するためのボタンＢも設けられている。ステップＳ１１０においては、ＵＩＭ Ｐ２ａがマウス５０ｂによる各枠ＦＬ１〜ＦＬ１２のクリックが検出し、検出された場合にはステップＳ１２０にて分光反射率測定を開始させるか否かを指示するための選択ウィンドウＷを表示させる。ステップＳ１３０においては選択ウィンドウＷにおけるマウス５０ｂのクリックを検出し、キャンセルがクリックされた場合にはステップＳ１１０に戻る。一方、分光反射率測定実行がクリックされた場合には、ステップＳ１４０においてＭＣＭ Ｐ２ｂがＭＤＶ Ｐ４を介して分光反射率計３０にターゲットＴＧの分光反射率Ｒ（λ）としてターゲット分光反射率Ｒt（λ）の測定を実行させ、当該ターゲット分光反射率Ｒt（λ）を格納した分光反射率データＲＤを取得する。
【００１６】
ステップＳ１４０におけるターゲット分光反射率Ｒt（λ）の測定が完了すると、最も標準的な光源であるＤ６５光源を照射したときのＣＩＥＬＡＢ色空間における色彩値（Ｌ*ａ*ｂ*値）を算出する。そして、当該Ｌ*ａ*ｂ*値を所定のＲＧＢプロファイルを使用してＲＧＢ値に変換し、当該ＲＧＢ値を表示用ＲＧＢ値として取得する。なお、ＲＧＢプロファイルは絶対色空間としてのＣＩＥＬＡＢ色空間と本実施形態のＲＧＢ色空間との等色関係を規定したプロファイルであり、例えばＩＣＣプロファイルを使用することができる。
【００１７】
図５は、ステップＳ１４０において、分光反射率データＲＤから表示用ＲＧＢ値を算出する様子を模式的に示している。ターゲットＴＧについてターゲット分光反射率Ｒt（λ）を測定した結果、図示するようターゲット分光反射率Ｒt（λ）の分布を示す分光反射率データＲＤが得られたとする。なお、ターゲットＴＧは、分光的な再現の目標とする物体表面を意味し、例えば他の印刷装置や塗装装置等で形成した人工的物体表面や、自然物の表面等が該当する。一方、Ｄ６５光源は図示するような可視波長域において不均一な分光エネルギーＰ（λ）の分布を有しており、ターゲットＴＧにＤ６５光源を照射したときの各波長の反射光の分光エネルギーは、ターゲット分光反射率Ｒt（λ）と分光エネルギーＰ（λ）を各波長について掛け合わせた値となる。さらに、反射光の分光エネルギーのスペクトルに対して人間の分光感度特性に応じた等色関数ｘ（λ），ｙ（λ），ｚ（λ）をそれぞれ畳み込み積分し、係数ｋによって正規化することにより、３刺激値Ｘ，Ｙ，Ｚを得る。以上を数式で表すと下記の（１）式となる。
【数１】
0005182044.tif 000002
【００１８】
３刺激値Ｘ，Ｙ，Ｚを所定の変換式によって変換することにより、ターゲットＴＧにＤ６５光源を照射したときの色を示すＬ*ａ*ｂ*値を得ることができ、さらにＲＧＢプロファイルを使用することにより、表示用ＲＧＢ値を得ることができる。ステップＳ１４５においては、テンプレートＴＰにおいてクリックされた枠ＦＬ１〜ＦＬ１２を前記表示用ＲＧＢ値で塗りつぶした表示に更新する。これにより、標準的な光源であるＤ６５光源でのターゲットＴＧの色をＵＩ画面にて感覚的に把握することが可能となる。ステップＳ１４５が完了すると、ステップＳ１５０において固有のインデックスを生成するとともに、当該インデックスと、ステップＳ１１０にてクリックされた枠ＦＬ１〜ＦＬ１２の位置情報と表示用ＲＧＢ値を分光反射率データＲＤに対応付けてＲＡＭ１２に記憶する。ステップＳ１５０が完了すると、ステップＳ１１０に戻り、ステップＳ１２０〜Ｓ１５０を繰り返して実行する。これにより、他の枠ＦＬ１〜ＦＬ１２を選択し、他の枠ＦＬ１〜ＦＬ１２について他のターゲットＴＧのターゲット分光反射率Ｒt（λ）の測定を行うことができる。
【００１９】
本実施形態においては、それぞれ異なる１２種類のターゲットＴＧ１〜ＴＧ１２が用意されており、ターゲットＴＧ１〜ＴＧ１２のそれぞれについてのターゲット分光反射率Ｒt（λ）が分光反射率測データＲＤとして取得されるものとする。従って、ステップＳ１５０においては、各枠ＦＬ１〜ＦＬ１２についての分光反射率測データＲＤと固有のインデックスを対応付けたデータが順次ＲＡＭに記憶されていくこととなる。なお、インデックスはそれぞれの値が固有となるように生成されればよく、インクリメントによって生成してもよいし、重複しない乱数によって生成してもよい。
【００２０】
ステップＳ１１０において、各枠ＦＬ１〜ＦＬ１２のクリックが検出されない場合には、ステップＳ１６０にて見本チャートＳＣの印刷を実行させる旨のボタンＢのクリックを検出し、検出されない場合にはステップＳ１１０に戻る。一方、見本チャートＳＣの印刷を実行させる旨のボタンＢのクリックが検出された場合には、ステップＳ１７０にてＰＤＧ Ｐ２ｃが印刷データＰＤを生成する。
【００２１】
図６は、印刷データＰＤの構成を模式的に示している。同図において、印刷データＰＤはドットマトリクス状に配列した多数の画素によって構成されており、各画素が４バイト（８ビット×４）の情報を有している。印刷データＰＤは、図４に示したテンプレートＴＰと同様の画像を示しており、テンプレートＴＰの各枠ＦＬ１〜ＦＬ１２に対応する領域以外の画素は、テンプレートＴＰに対応する色のＲＧＢ値を有している。ＲＧＢ各チャネルの階調値はそれぞれ８ビット（２５６階調）によって表現され、上述した４バイトのうち３バイトがＲＧＢ値を格納するために使用される。例えば、テンプレートＴＰの各枠ＦＬ１〜ＦＬ１２以外の色が（Ｒ，Ｇ，Ｂ）＝（１２８，１２８，１２８）の一様な中間グレーで表される場合、印刷データＰＤにおける各枠ＦＬ１〜ＦＬ１２に対応する領域以外の画素は（Ｒ，Ｇ，Ｂ）＝（１２８，１２８，１２８）の色情報を有することとなる。なお、残りの１バイトは使用されない。
【００２２】
一方、テンプレートＴＰの各枠ＦＬ１〜ＦＬ１２に対応する画素も４バイトの情報を有しており、通常、ＲＧＢ値が格納される３バイトを使用してインデックスを格納する。このインデックスは、ステップＳ１５０にて各枠ＦＬ１〜ＦＬ１２ごとに生成した固有のものであり、ＰＤＧ Ｐ２ｃはインデックスをＲＡＭ１２から取得し、各枠ＦＬ１〜ＦＬ１２に対応する画素に対応するインデックスを格納する。このようにインデックスをＲＧＢ値の代わりに格納した各枠ＦＬ１〜ＦＬ１２に対応する画素については、残りの１バイトを使用してインデックスが格納された旨のフラグを立てる。これにより、各画素がＲＧＢ値を格納しているか、インデックスを格納しているかを判別することができる。本実施形態では、インデックスを格納するために３バイトを使用することができるため、３バイト以下の情報量で表現できるインデックスをステップＳ１５０で生成しておく必要がある。以上のようにしてビットマップ形式の印刷データＰＤが生成できると、ステップＳ１８０において、ＰＤＧ Ｐ２ｃがインデックステーブルＩＤＢを生成する。
【００２３】
図７は、インデックステーブルＩＤＢの一例を示している。同図において、各枠ＦＬ１〜ＦＬ１２に対応して生成された固有のインデックスのそれぞれに対して、測定によって得られたターゲット分光反射率Ｒt（λ）およびＤ６５光源におけるＬ*ａ*ｂ*値に対応する表示用ＲＧＢ値が格納されている。インデックステーブルＩＤＢの生成が完了すると、印刷データＰＤはＧＤＩ Ｐ１ａやスプーラＰ１ｂを経由してＰＤＶ Ｐ３ｂに出力される。印刷データＰＤは、外形上、通常のＲＧＢビットマップ形式と変わらないため、ＯＳ Ｐ１が提供するＧＤＩ Ｐ１ａやスプーラＰ１ｂにおいても通常の印刷ジョブと同様に処理することができる。一方、インデックステーブルＩＤＢは、直接、ＰＤＶ Ｐ３ｂに出力される。なお、本実施形態においては、インデックステーブルＩＤＢを新たに生成するようにしたが、既存のインデックステーブルＩＤＢにインデックスとターゲット分光反射率Ｒt（λ）と表示用ＲＧＢ値の新たな対応関係を追記するようにしてもよい。また、以上の印刷データ生成処理と後述する印刷制御処理は必ずしも同一の装置において連続して実行する必要はなく、印刷データ生成処理と印刷制御処理を例えばＬＡＮやインターネット等の通信回線によって接続された複数のコンピュータ上にて個別に実行してもよい。
【００２４】
３．印刷制御処理
図８は、ＬＵＧ Ｐ３ａとＰＤＶ Ｐ３ｂが実行する印刷制御処理の全体的な流れを示している。１Ｄ−ＬＵＴ生成処理（ステップＳ２００）をＬＵＧ Ｐ３ａが担当し、一方の印刷制御データ生成処理（ステップＳ３００）をＰＤＶ Ｐ３ｂが担当する。１Ｄ−ＬＵＴ生成処理は印刷制御データ生成処理に先行して行われてもよいし、１Ｄ−ＬＵＴ生成処理と印刷制御データ生成処理を並行して行うようにしてもよい。
【００２５】
３−１．１Ｄ−ＬＵＴ生成処理
図９は、１Ｄ−ＬＵＴ生成処理の流れを示している。図２に示すようにＬＵＧ Ｐ３ａは、インク量セット算出モジュール（ＩＣＭ）Ｐ３ａ１と分光反射率予測モジュール（ＲＰＭ）Ｐ３ａ２と評価値算出モジュール（ＥＣＭ）Ｐ３ａ３とＬＵＴ出力モジュール（ＬＯＭ） Ｐ３ａ４とから構成されている。ステップＳ２１０においては、ＩＣＭ Ｐ３ａ１がインデックステーブルＩＤＢを取得する。ステップＳ２２０においては、インデックステーブルＩＤＢから一つのインデックスを選択し、当該インデックスに対応付けられている分光反射率データＲＤを取得する。ステップＳ２３０においては、ＩＣＭ Ｐ３ａ１が前記分光反射率データＲＤが示すターゲット分光反射率Ｒt（λ）と同様の分光反射率Ｒ（λ）が再現可能なインク量セットを算出する処理を行う。その際に、上述したＲＰＭ Ｐ３ａ２とＥＣＭ Ｐ３ａ３を使用する。
【００２６】
図１０は、前記分光反射率データＲＤが示すターゲット分光反射率Ｒt（λ）と同様の分光反射率Ｒ（λ）が再現可能なインク量セットを算出する処理の流れを模式的に示している。ＲＰＭ Ｐ３ａ２は、ＩＣＭ Ｐ３ａ１からのインク量セットφの入力に応じて、当該インク量セットφに基づいてプリンタ２０が所定の印刷用紙にインクを吐出させたときの分光反射率Ｒ（λ）を予測し、当該分光反射率Ｒ（λ）を予測分光反射率Ｒs（λ）としてＥＣＭ Ｐ３ａ３に出力する。
【００２７】
ＥＣＭ Ｐ３ａ３は、分光反射率データＲＤが示すターゲット分光反射率Ｒt（λ）と予測分光反射率Ｒs（λ）の差分Ｄ（λ）を各波長λについて算出し、各波長λごとに重みが課せられた重み関数ｗ（λ）を当該差分Ｄ（λ）に乗算する。この値の二乗平均の平方根を評価値Ｅ（φ）として算出する。以上の計算を数式で表すと下記の（２）式のように表すことができる。
【数２】
0005182044.tif 000003
【００２８】
前記の（２）式において、Ｎは波長λの有限区分数を意味する。前記の（２）式において、評価値Ｅ（φ）が小さければ小さいほど、各波長λにおけるターゲット分光反射率Ｒt（λ）と予測分光反射率Ｒs（λ）の差が少ないということができる。すなわち、評価値Ｅ（φ）が小さければ小さいほど、入力したインク量セットφによってプリンタ２０が印刷したときに記録媒体上にて再現される分光反射率Ｒ（λ）と、対応するターゲットＴＧから得られたターゲット分光反射率Ｒt（λ）が近似しているということができる。さらに、前記の（１）式によれば、光源の変動に応じてインク量セットφによってプリンタ２０が印刷したときの記録媒体と対応するターゲットＴＧが示す絶対的な色彩値は双方とも変動するものの、分光反射率Ｒ（λ）が近似すれば光源の変動に拘わらず相対的には同じ色に知覚されるということができる。従って、評価値（φ）が小さくなるインク量セットφによれば、あらゆる光源においてターゲットＴＧと同じ色に知覚される印刷結果を得ることができるということができる。
【００２９】
また、本実施形態において、重み関数ｗ（λ）は下記の（３）式のものを使用する。
【数３】
0005182044.tif 000004
前記の（３）式においては、等色関数ｘ（λ），ｙ（λ），ｚ（λ）を加算することにより、重み関数ｗ（λ）が定義されている。なお、前記の（３）式の右辺全体に所定の係数を乗算して、重み関数ｗ（λ）の値の範囲を正規化してもよい。前記の（１）式によれば、等色関数ｘ（λ），ｙ（λ），ｚ（λ）が大きい波長域ほど、色彩値（Ｌ*ａ*ｂ*値）に大きく影響するということができる。従って、等色関数ｘ（λ），ｙ（λ），ｚ（λ）を加算した重み関数ｗ（λ）を使用すれば、色への影響が大きい波長域を重視した二乗誤差が評価可能な評価値Ｅ（φ）を得ることができる。例えば、人間の目に知覚されない近紫外波長域においてはｗ（λ）が０となり、当該波長域における差分Ｄ（λ）は評価値Ｅ（φ）の増大に寄与しないこととなる。
【００３０】
すなわち、必ずしも全可視波長域においてターゲット分光反射率Ｒt（λ）と予測分光反射率Ｒs（λ）との差が小さくなくても、人間の目に特に強く知覚される波長域においてターゲット分光反射率Ｒt（λ）と予測分光反射率Ｒs（λ）とが似ていれば小さい値の評価値Ｅ（φ）を得ることができ、人間の目に知覚に即した分光反射率Ｒ（λ）の近似性の指標として評価値Ｅ（φ）を使用することができる。算出された評価値Ｅ（φ）はＩＣＭ Ｐ３ａ１に返される。すなわち、ＩＣＭＰ ３ａ１が任意のインク量セットφをＲＰＭ Ｐ３ａ２とＥＣＭ Ｐ３ａ３に出力することにより、最終的に評価値Ｅ（φ）がＩＣＭ Ｐ３ａ１に返される構成となっている。ＩＣＭ Ｐ３ａ１は任意のインク量セットφに対応して評価値Ｅ（φ）を得ることを繰り返し実行することにより、目的関数としての評価値Ｅ（φ）が極小化するようなインク量セットφの最適解を算出する。この最適解を算出する手法としては、例えば勾配法といった非線形最適化手法を用いることができる。
【００３１】
図１１は、ステップＳ２３０においてインク量セットφが最適化されていく様子を模式的に示している。同図において、インク量セットφが最適化されていくにつれて、インク量セットφで印刷を行った場合の予測分光反射率Ｒs（λ）がターゲット分光反射率Ｒt（λ）に近づいていく。また、重み関数ｗ（λ）を使用することにより、等色関数ｘ（λ），ｙ（λ），ｚ（λ）が大きい波長域ほど、予測分光反射率Ｒs（λ）のターゲット分光反射率Ｒt（λ）への拘束が強くなっており、予測分光反射率Ｒs（λ）がターゲット分光反射率Ｒt（λ）の差が小さくなっている。このように、等色関数ｘ（λ），ｙ（λ），ｚ（λ）が大きく、視覚に大きく影響する波長域について優先的に予測分光反射率Ｒs（λ）をターゲットＴＧのターゲット分光反射率Ｒt（λ）に拘束することができるため、任意の光源を照射したときの見た目が近くなるようなインク量セットφを算出することができる。以上により、いずれの光源においてもターゲットＴＧと似たような見た目をプリンタ２０にて再現させることが可能なインク量セットφを算出することができる。なお、最適化の終了条件は、インク量セットφ更新の繰り返し回数としてもよいし、評価値Ｅ（φ）の閾値としてもよい。
【００３２】
以上のようにして、ステップＳ２３０においてＩＣＭ Ｐ３ａ１がターゲットＴＧと同様の分光反射率Ｒ（λ）が再現可能なインク量セットφを算出すると、ステップＳ２４０においてインデックステーブルＩＤＢに記述されたインデックスのすべてがステップＳ２２０にて選択されたか否かを判定し、すべて選択されていない場合にはステップＳ２２０に戻り、次のインデックスを選択する。このようにすることにより、すべてのインデックスについてターゲットＴＧと同様の色が再現可能なインク量セットφを算出することができる。すなわち、印刷データ生成処理（図２）のステップＳ１４０において測色を行ったすべてのターゲットＴＧ１〜ＴＧ１２についてターゲットＴＧ１〜ＴＧ１２と同様の分光反射率Ｒ（λ）が再現可能なインク量セットφを算出することができる。ステップＳ２４０において、すべてのインデックスについて最適なインク量セットφが算出されたことが判定されると、ステップＳ２５０において、ＬＯＭ Ｐ３ａ４が１Ｄ−ＬＵＴを生成し、当該１Ｄ−ＬＵＴをＰＤＶ Ｐ３ｂに出力する。
【００３３】
図１２は、１Ｄ−ＬＵＴの一例を示している。同図において、各インデックスに対応して最適なインク量セットφが格納されている。すなわち、各ターゲットＴＧ１〜ＴＧ１２について、各ターゲットＴＧ１〜ＴＧ１２と似たような見た目をプリンタ２０にて再現させることが可能なインク量セットφを記述した１Ｄ−ＬＵＴを用意することができる。１Ｄ−ＬＵＴをＰＤＶ Ｐ３ｂに出力すると、１Ｄ−ＬＵＴ生成処理が完了し、次の印刷制御データ生成処理（ステップＳ３００）を実行させる。
【００３４】
３−２．印刷制御データ生成処理
図１３は、印刷制御データ生成処理の流れを示している。図２に示すようにＰＤＶ Ｐ３ｂは、モード判別モジュール（ＭＩＭ）Ｐ３ｂ１とインデックス変換モジュール（ＩＳＭ）Ｐ３ｂ２とＲＧＢ変換モジュール（ＣＳＭ）Ｐ３ｂ３とハーフトーンモジュール（ＨＴＭ）Ｐ３ｂ４とラスタ化モジュール（ＲＴＭ）Ｐ３ｂ５とから構成されている。ステップＳ３１０においては、モード判別モジュール（ＭＩＭ）Ｐ３ｂ１が印刷データＰＤを取得する。ステップＳ３２０において、ＭＩＭ Ｐ３ｂ１は印刷データＰＤから一の画素を選択する。ステップＳ３３０において、ＭＩＭ Ｐ３ｂ１は当該選択した画素にインデックスが格納された旨のフラグが立っているか否かを判定する。当該フラグが立っていないと判定された場合には、ステップＳ３４０にてＣＳＭ Ｐ３ｂ３が３Ｄ−ＬＵＴを参照して、当該画素についての色変換を実行する。
【００３５】
図１４は、３Ｄ−ＬＵＴの一例を示している。同図において、３Ｄ−ＬＵＴはＲＧＢ値とインク量セットφ（ｄＣ，ｄＭ，ｄＹ，ｄＫ，ｄｌｃ，ｄｌｍ）との対応関係が色空間における複数の代表的な座標について記述されたテーブルであり、ＣＳＭ Ｐ３ｂ３は３Ｄ−ＬＵＴを参照して当該画素が有するＲＧＢ値に対応するインク量セットφを取得する。その際に、３Ｄ−ＬＵＴに直接記述されていないＲＧＢ値については補間演算を行うことにより、対応するインク量セットφを取得する。なお、３Ｄ−ＬＵＴの作成方法として、特開２００６−８２４６０号公報等を採用することができる。当該公報においては、特定光源における色の再現性や、再現色の階調性や、粒状性や、再現色の光源非依存性や、ガマットや、インクデューティが総合的に良好となる３Ｄ−ＬＵＴが作成される。
【００３６】
一方、ステップＳ３３０において、選択した画素にインデックスが格納された旨のフラグが立っていると判定された場合には、ステップＳ３５０にてＩＳＭ Ｐ３ｂ２が１Ｄ−ＬＵＴを参照して、当該画素についての色変換を実行する。すなわち、インデックスが格納された旨のフラグが立っている画素から、インデックスを取得するとともに、１Ｄ−ＬＵＴにて当該インデックスに対応付けられているインク量セットφを取得する。ステップＳ３４０またはステップＳ３５０のいずれかにおいて、当該画素についてのインク量セットφが取得できると、ステップＳ３６０においてすべての画素についてインク量セットφが取得できたか否かを判定する。ここでインク量セットφが未取得の画素が残っている場合には、ステップＳ３２０に戻り次の画素を選択する。
【００３７】
以上の処理を繰り返して実行することにより、すべての画素についてインク量セットφを取得することができる。すべての画素についてインク量セットφが取得できると、すべての画素がインク量セットφで表現された印刷データＰＤに変換されたこととなる。以上のように各画素について１Ｄ−ＬＵＴと３Ｄ−ＬＵＴのいずれを使用するかを判定することにより、インデックスが格納された枠Ｆ１〜Ｆ１２に対応する画素については、各光源において各ターゲットＴＧ１〜ＴＧ１２に近い色が再現可能なインク量セットφを取得することができるとともに、ＲＧＢ値が格納された画素については３Ｄ−ＬＵＴの作成指針（例えば、粒状性を重視する等。）に基づく色再現が可能なインク量セットφを取得させることができる。
【００３８】
ステップＳ３７０においては、各画素がインク量セットφで表現された印刷データＰＤをＨＴＭ Ｐ３ｂ４が取得し、ハーフトーン処理を実行する。ＨＴＭ Ｐ３ｂ４はハーフトーン処理をするにあたっては公知のディザ法や誤差拡散法等を使用することができる。ハーフトーン処理が完了した印刷データＰＤにおいては、各画素が各インクを吐出させるか否を示す吐出信号を有している。ステップＳ３８０では、ハーフトーン処理が完了した印刷データＰＤをＲＴＭ Ｐ３ｂ５が取得し、当該印刷データＰＤにおける吐出信号をプリンタ２０が有する印刷ヘッドの各走査パスおよび各ノズルに割り振る処理を実行する。以上によりプリンタ２０に出力可能な印刷制御データＣＤが生成でき、プリンタ２０の制御に必要な信号を添付した印刷制御データＣＤをスプーラＰ１ｂおよびプリンタ２０に出力する。これによりプリンタ２０が印刷用紙上にインクを吐出して、見本チャートＳＣを形成する。
【００３９】
以上のようにして印刷用紙上に形成された見本チャートＳＣの枠ＦＬ１〜ＦＬ１２に対応する領域において、各ターゲットＴＧ１〜ＴＧ１２のターゲット分光反射率Ｒt（λ）を再現することができる。すなわち、枠ＦＬ１〜ＦＬ１２に対応する領域は、ターゲットＴＧ１〜ＴＧ１２の複数光源下での色に追従するようなインク量セットφで印刷されているため、各光源下においてターゲットＴＧ１〜ＴＧ１２と似たような色を再現することができる。例えば、見本チャートＳＣを室内で視認したときの各枠ＦＬ１〜ＦＬ１２に対応する領域の色はターゲットＴＧ１〜ＴＧ１２を室内で視認したときの色を再現するし、見本チャートＳＣを室外で視認したときの各枠ＦＬ１〜ＦＬ１２に対応する領域の色もターゲットＴＧ１〜ＴＧ１２を室外で視認したときの色を再現することができる。
【００４０】
なお、究極的には、ターゲットＴＧ１〜ＴＧ１２と完全に同じ分光反射率Ｒ（λ）を有する見本チャートＳＣを再現すれば、いかなる光源においてもターゲットＴＧ１〜ＴＧ１２と同様の色を再現することができる。しかしながら、プリンタ２０が使用可能なインク（色材の種類）はＣＭＹＫｌｃｌｍに限られているため、ターゲットＴＧ１〜ＴＧ１２と完全に同じ分光反射率Ｒ（λ）が再現可能なインク量セットφを求めることは実質的に不可能である。また、知覚色に影響しない波長域についてもターゲットＴＧ１〜ＴＧ１２と同様な分光反射率Ｒ（λ）が再現可能なインク量セットφを求めても、視覚的な再現精度の実現においては無駄となる。これに対して、本発明では、等色関数ｘ（λ），ｙ（λ），ｚ（λ）に基づく重み付けを行った評価値Ｅ（φ）を利用してターゲット分光反射率Ｒt（λ）への近似性を評価しているため、視覚的に十分な精度が達成可能なインク量セットφを求めることができる。
【００４１】
一方、印刷用紙上に形成された見本チャートＳＣの枠ＦＬ１〜ＦＬ１２に対応する領域においては、上述した３Ｄ−ＬＵＴに基づいたインク量セットφによって印刷がなされることとなる。そのため、当該領域についての印刷パフォーマンスは３Ｄ−ＬＵＴに基づくものとなる。上述したとおり本実施形態においては枠ＦＬ１〜ＦＬ１２以外の領域は中間グレーの一様な画像を示すが、当該領域において３Ｄ−ＬＵＴが目標とする印刷パフォーマンスを満足させることができる。すなわち、再現色の階調性や、粒状性や、再現色の光源非依存性や、ガマットや、インクデューティが総合的に良好となる印刷を実現することができる。
【００４２】
４．分光プリンティングモデル
図１５は、本実施形態のプリンタ２０の印刷方式を模式的に示している。同図において、プリンタ２０は、ＣＭＹＫｌｃｌｍのインクごとに複数のノズル２１ａ，２１ａ・・・を備えた印刷ヘッド２１を備えており、ノズル２１ａ，２１ａ・・・が吐出するＣＭＹＫｌｃｌｍのインクごとのインク量を上述したインク量セットφ（ｄc，ｄm，ｄy，ｄk，ｄlc，ｄlm）によって指定された量とする制御が印刷制御データＣＤに基づいて行われる。各ノズル２１ａ，２１ａ・・・が吐出したインク滴は印刷用紙上において微細なドットとなり、多数のドットの集まりによってインク量セットφ（ｄc，ｄm，ｄy，ｄk，ｄlc，ｄlm）に応じたインク被覆率の印刷画像が印刷用紙上に形成されることとなる。
【００４３】
ＲＰＭ Ｐ３ａ２が使用する予測モデル（分光プリンティングモデル）は、本実施形態のプリンタ２０で使用され得る任意のインク量セットφ（ｄc，ｄm，ｄy，ｄk，ｄlc，ｄlm）で印刷を行った場合の分光反射率Ｒ（λ）を予測分光反射率Ｒs（λ）として予測するための予測モデルである。分光プリンティングモデルにおいては、インク量空間における複数の代表点について実際にカラーパッチを印刷し、その分光反射率Ｒ（λ）を分光反射率計によって測定することにより得られた分光反射率データベースＲＤＢを用意する。そして、この分光反射率データベースＲＤＢを使用したセル分割ユール・ニールセン分光ノイゲバウアモデル(Cellular Yule-Nielsen Spectral Neugebauer Model)による予測を行うことにより、正確に任意のインク量セットφ（ｄc，ｄm，ｄy，ｄk，ｄlc，ｄlm）で印刷を行った場合の分光反射率Ｒ（λ）を予測する。
【００４４】
図１６は、分光反射率データベースＲＤＢを示している。同図に示すように分光反射率データベースＲＤＢはインク量空間（本実施形態では６次元であるが、図の簡略化のためＣＭ面のみ図示。）における複数の格子点のインク量セットφ（ｄc，ｄm，ｄy，ｄk，ｄlc，ｄlm）について実際に印刷／測定をして得られた分光反射率Ｒ（λ）が記述されたルックアップテーブルとなっている。例えば、各インク量軸を分割する５グリッドの格子点を発生させる。ここでは５13個もの格子点が発生し、膨大な量のカラーパッチの印刷／測定をすることが必要となるが、実際にはプリンタ２０にて同時に搭載可能なインク数や同時に吐出可能なインクデューティの制限があるため、印刷／測定をする格子点の数は絞られることとなる。
【００４５】
さらに、一部の格子点のみ実際に印刷／測定をし、他の格子点については実際に印刷／測定を行った格子点の分光反射率Ｒ（λ）に基づいて分光反射率Ｒ（λ）を予測することにより、実際に印刷／測定を行うカラーパッチの個数を低減させてもよい。分光反射率データベースＲＤＢは、プリンタ２０が印刷可能な印刷用紙ごとに用意されている必要がある。厳密には、分光反射率Ｒ（λ）は印刷用紙上に形成されたインク膜（ドット）による分光透過率と印刷用紙の反射率によって決まるものであり、印刷用紙の表面物性（ドット形状が依存）や反射率の影響を大きく受けるからである。次に、分光反射率データベースＲＤＢを使用したセル分割ユール・ニールセン分光ノイゲバウアモデルによる予測を説明する。
【００４６】
ＲＰＭ Ｐ３ａ２は、ＩＣＭ Ｐ３ａ１の要請に応じて分光反射率データベースＲＤＢを使用したセル分割ユール・ニールセン分光ノイゲバウアモデルによる予測を実行する。この予測にあたっては、ＩＣＭ Ｐ３ａ１から予測条件を取得し、この予測条件を設定する。具体的には、印刷用紙やインク量セットφを印刷条件として設定する。例えば、光沢紙を印刷用紙として予測を行う場合には、光沢紙にカラーパッチを印刷することにより作成した分光反射率データベースＲＤＢが設定される。
【００４７】
分光反射率データベースＲＤＢの設定ができると、ＩＣＭ Ｐ３ａ１から入力されたインク量セットφ（ｄc，ｄm，ｄy，ｄk，ｄlc，ｄlm）を分光プリンティングモデルに適用する。セル分割ユール・ニールセン分光ノイゲバウアモデルは、よく知られた分光ノイゲバウアモデルとユール・ニールセンモデルとに基づいている。なお、以下の説明では、説明の簡略化のためＣＭＹの３種類のインクを用いた場合のモデルについて説明するが、同様のモデルを本実施形態のＣＭＹＫｌｃｌｍを含む任意のインクセットを用いたモデルに拡張することは容易である。また、セル分割ユール・ニールセン分光ノイゲバウアモデルについては、Color Ｒes Appl 25, 4-19, 2000およびＲ Balasubramanian, Optimization of the spectral Neugebauer model for printer characterization, J. Electronic Imaging 8(2), 156-166 (1999)を参照。
【００４８】
図１７は、分光ノイゲバウアモデルを示す図である。分光ノイゲバウアモデルでは、任意のインク量セット（ｄc，ｄm，ｄy）で印刷したときの印刷物の予測分光反射率Ｒs（λ）は、以下の（４）式で与えられる。
【数４】
0005182044.tif 000005
【００４９】
ここで、ａiはｉ番目の領域の面積率であり、Ｒi（λ）はｉ番目の領域の分光反射率である。添え字ｉは、インクの無い領域（ｗ）と、シアンインクのみの領域（ｃ）と、マゼンタインクのみの領域（ｍ）と、イエローインクのみの領域（ｙ）と、マゼンタインクとイエローインクが吐出される領域（ｒ）と、イエローインクとシアンインクが吐出される領域（ｇ）と、シアンインクとマゼンタインクが吐出される領域（ｂ）と、ＣＭＹの３つのインクが吐出される領域（ｋ）をそれぞれ意味している。また、ｆc，ｆm，ｆyは、ＣＭＹ各インクを１種類のみ吐出したときにそのインクで覆われる面積の割合（「インク被覆率(Ink area coverage)」と呼ぶ）である。
【００５０】
インク被覆率ｆc，ｆm，ｆyは、図１７（Ｂ）に示すマーレイ・デービスモデルで与えられる。マーレイ・デービスモデルでは、例えばシアンインクのインク被覆率ｆcは、シアンのインク量ｄcの非線形関数であり、例えば１次元ルックアップテーブルによってインク量ｄcをインク被覆率ｆcに換算することができる。インク被覆率ｆc，ｆm，ｆyがインク量ｄc，ｄm，ｄyの非線形関数となる理由は、単位面積に少量のインクが吐出された場合にはインクが十分に広がるが、多量のインクが吐出された場合にはインクが重なり合うためにインクで覆われる面積があまり増加しないためである。他の種類のＭＹインクについても同様である。
【００５１】
分光反射率に関するユール・ニールセンモデルを適用すると、前記（４）式は以下の（５ａ）式または（５ｂ）式に書き換えられる。
【数５】
0005182044.tif 000006
ここで、ｎは１以上の所定の係数であり、例えばｎ＝１０に設定することができる。前記の（５ａ）式および（５ｂ）式は、ユール・ニールセン分光ノイゲバウアモデル(Yule-Nielsen Spectral Neugebauer Model)を表す式である。
【００５２】
本実施形態で採用するセル分割ユール・ニールセン分光ノイゲバウアモデル(Cellular Yule-Nielsen Spectral Neugebauer Model)は、上述したユール・ニールセン分光ノイゲバウアモデルのインク量空間を複数のセルに分割したものである。
【００５３】
図１８（Ａ）は、セル分割ユール・ニールセン分光ノイゲバウアモデルにおけるセル分割の例を示している。ここでは、説明の簡略化のために、ＣＭインクのインク量ｄc，ｄmの２つの軸を含む２次元インク量空間でのセル分割を描いている。なお、インク被覆率ｆc，ｆmは上述したマーレイ・デービスモデルにてインク量ｄc，ｄmと一意の関係にあるため、インク被覆率ｆc，ｆmを示す軸と考えることもできる。白丸は、セル分割のグリッド点（「格子点」と呼ぶ）であり、２次元のインク量（被覆率）空間が９つのセルＣ１〜Ｃ９に分割されている。各格子点に対応するインク量セット（ｄc，ｄm）は、分光反射率データベースＲＤＢに規定された格子点に対応するインク量セットとされている。すなわち、上述した分光反射率データベースＲＤＢを参照することにより、各格子点の分光反射率Ｒ（λ）を得ることができる。従って、各格子点の分光反射率Ｒ（λ）00，Ｒ（λ）10，Ｒ（λ）20・・・Ｒ（λ）33は、分光反射率データベースＲＤＢから取得することができる。
【００５４】
実際には、本実施形態ではセル分割もＣＭＹＫｌｃｌｍの６次元インク量空間で行うとともに、各格子点の座標も６次元のインク量セットφ（ｄc，ｄm，ｄy，ｄk，ｄlc，ｄlm）によって表される。そして、各格子点のインク量セットφ（ｄc，ｄm，ｄy，ｄk，ｄlc，ｄlm）に対応する格子点の分光反射率Ｒ（λ）が分光反射率データベースＲＤＢ（例えば光沢紙のもの）から取得されることとなる。
【００５５】
図１８（Ｂ）は、セル分割モデルにて使用するインク被覆率ｆcとインク量ｄcとの関係を示している。ここでは、１種類のインクのインク量の範囲０〜ｄcmaxも３つの区間に分割されており、各区間毎に０から１まで単調に増加する非線形の曲線によってセル分割モデルにて使用する仮想的なインク被覆率ｆcが求められる。他のインクについても同様にインク被覆率ｆm，ｆyが求められる。
【００５６】
図１８（Ｃ）は、図１８（Ａ）の中央のセルＣ５内にある任意のインク量セット（ｄc，ｄm）にて印刷を行った場合の予測分光反射率Ｒs（λ）の算出方法を示している。インク量セット（ｄc，ｄm）にて印刷を行った場合の分光反射率Ｒ（λ）は、以下の（６）式で与えられる。
【数６】
0005182044.tif 000007
ここで、（６）式におけるインク被覆率ｆc，ｆmは図１８（Ｂ）のグラフで与えられる値である。また、セルＣ５を囲む４つの格子点に対応する分光反射率Ｒ（λ）11，（λ）12，（λ）21，（λ）22は分光反射率データベースＲＤＢを参照することにより取得することができる。これにより、（６）式の右辺を構成するすべての値を確定することができ、その計算結果として任意のインク量セットφ（ｄc，ｄm）にて印刷を行った場合の予測分光反射率Ｒs（λ）を算出することができる。波長λを可視波長域にて順次シフトさせていくことにより、可視波長域における予測分光反射率Ｒs（λ）を得ることができる。インク量空間を複数のセルに分割すれば、分割しない場合に比べて予測分光反射率Ｒs（λ）をより精度良く算出することができる。以上のようにして、ＲＰＭ Ｐ３ａ２がＩＣＭ Ｐ３ａ１の要請に応じて予測分光反射率Ｒs（λ）を予測することができる。
【００５７】
５．変形例
５−１：変形例１
図１９は、変形例においてＥＣＭ Ｐ３ａ３が設定する重み関数ｗ（λ）を模式的に示している。同図において、ターゲットＴＧから得られたターゲット分光反射率Ｒt（λ）が示されており、当該ターゲット分光反射率Ｒt（λ）と各等色関数ｘ（λ），ｙ（λ），ｚ（λ）との相関係数ｃx，ｃy，ｃzがＥＣＭ Ｐ３ａ３によって算出されている。そして、下記の（７）式によって本変形にかかる重み関数ｗ（λ）を算出する。
【数７】
0005182044.tif 000008
前記の（７）式においては、ターゲットＴＧから得られたターゲット分光反射率Ｒt（λ）との相関が高い等色関数ｘ（λ），ｙ（λ），ｚ（λ）ほど線形結合の際の重みが大きくなるようにされている。以上のようにして得られた重み関数ｗ（λ）においては、ターゲットＴＧのターゲット分光反射率Ｒt（λ）が大きい波長域についての重みを強調することができる。従って、各光源下での反射光の分光エネルギーのスペクトルが強くなりがちな波長域を重視した評価値Ｅ（φ）を得ることができる。すなわち、特にターゲットＴＧのターゲット分光反射率Ｒt（λ）が大きい波長域については、ターゲットＴＧのターゲット分光反射率Ｒt（λ）と予測分光反射率Ｒs（λ）とのずれを許容しないようなインク量セットφの最適解を得ることができる。むろん、重み関数ｗ（λ）は各等色関数ｘ（λ），ｙ（λ），ｚ（λ）に由来しているため、人間の知覚に適合した評価値Ｅ（φ）を得ることができる。
【００５８】
５−２：変形例２
図２０は、別の変形例においてＥＣＭ Ｐ３ａ３が設定する重み関数ｗ（λ）を模式的に示している。同図において、ターゲットＴＧから得られたターゲット分光反射率Ｒt（λ）をそのまま重み関数ｗ（λ）として適用している。このようにすることによっても、特にターゲットＴＧのターゲット分光反射率Ｒt（λ）が大きい波長域についてターゲットＴＧの分光反射率Ｒ（λ）とターゲット分光反射率Ｒt（λ）とのずれを許容しないようなインク量セットφの最適解を得ることができる。
【００５９】
５−３：変形例３
図２１は、別の変形例においてＥＣＭ Ｐ３ａ３が設定する重み関数ｗ（λ）を模式的に示している。同図において、５種類（標準昼光系のＤ５０光源，Ｄ５５光源，Ｄ６５光源、白熱電球系のＡ光源、蛍光ランプ系のＦ１１光源）の各光源の分光エネルギーＰ D50（λ），Ｐ D55（λ），Ｐ D65（λ），ＰA（λ），Ｐ F11（λ）が示されている。本変形例においては、下記の（８）式によって、これらの分光エネルギーＰ D50（λ），Ｐ D55（λ），Ｐ D65（λ），ＰA（λ），Ｐ F11（λ）を線形結合することにより重み関数ｗ（λ）を算出する。
【数８】
0005182044.tif 000009
【００６０】
前記の（８）式において、ｗ1〜ｗ5は各光源についての重みを設定する重み係数である。このように、光源の分光エネルギー分布Ｐ D50（λ），Ｐ D55（λ），Ｐ D65（λ），ＰA（λ），Ｐ F11（λ）に由来する重み関数ｗ（λ）を設定することにより、各光源下での反射光の分光エネルギーのスペクトルが強くなりがちな波長域を重視した評価値Ｅ（φ）を得ることができる。また、重み係数ｗ1〜ｗ5を調整することも可能である。例えば全光源における色の再現性をバランスよく確保したい場合にはｗ1＝ｗ2＝ｗ3＝ｗ4＝ｗ5とすればよいし、人工光源における色の再現性を重視したい場合にはｗ1，ｗ2，ｗ3＜ｗ4，ｗ5とすればよい。
【００６１】
５−４：変形例４
図２２は、変形例においてディスプレイ４０に表示されるＵＩ画面を示している。同図において、ＵＩ画面において複数のターゲット分光反射率Ｒt（λ）のグラフが表示されている。このようなＵＩ画面を表示させることにより、ユーザーがステップＳ１４０においてターゲットＴＧのターゲット分光反射率Ｒt（λ）を測定する代わりに、所望の波形のグラフをターゲットＴＧのターゲット分光反射率Ｒt（λ）として選択することができる。このようにすることにより、実際に分光反射率測定をしなくてもターゲット分光反射率Ｒt（λ）を設定することができる。むろん、グラフの波形をユーザーが直接編集できるようにしてもよい。例えば、新規の物体表面の開発を行う際に目標とするターゲット分光反射率Ｒt（λ）に編集しておけば、実際に物体表面を試作することなく、目標とするターゲット分光反射率Ｒt（λ）を有する見本チャートＳＣをプリンタ２０によって印刷させることができる。
【００６２】
５−５：変形例５
図２３は、変形例にかかる評価値（φ）を模式的に説明している。同図において、ターゲットＴＧのターゲット分光反射率Ｒt（λ）に対して前記５種類の光源を照射したときの色彩値（ターゲット色彩値）を上述した（１）式，図５によって算出する。一方、ＲＰＭ Ｐ３ａ２が予測した予測分光反射率Ｒs（λ）に対して前記５種類の光源を照射したときの色彩値（予測色彩値）も上述した（１）式（Ｒt（λ）をＲs（λ）に置き換えて使用），図５によって算出する。そして、各光源におけるターゲット色彩値と予測色彩値の色差ΔＥ（ΔＥ2000）をＣＩＥ  ＤＥ２０００の色差式に基づいて算出する。そして、各光源についての色差ΔＥをΔＥ D50，ΔＥ D55，ΔＥ D65，ΔＥA，ΔＥ F11とし、下記の（９）式によって評価値Ｅ（φ）を算出する。
【数９】
0005182044.tif 000010
前記の（２）式において、ｗ1〜ｗ5は各光源の重みを設定する重み係数であり、上述した変形例３の重み係数ｗ1〜ｗ5とほぼ同様の性質を有する。ここでも全光源における色の再現性をバランスよく確保したい場合にはｗ1＝ｗ2＝ｗ3＝ｗ4＝ｗ5とすればよいし、人工光源における色の再現性を重視したい場合にはｗ1，ｗ2，ｗ3＜ｗ4，ｗ5とすればよい。
【００６３】
５−６：変形例６
なお、上述した実施形態において選択されていない枠Ｆに対応する領域については、枠Ｆ以外の領域と同じ色で印刷を行うようにすればよい。むろん、選択されていない枠Ｆに対応する領域については、分光的な再現性を要求する必要がないため、枠Ｆ以外の領域と同様に３Ｄ−ＬＵＴを使用した色変換を行わせるようにすればよい。さらに、ターゲットＴＧが指定された枠Ｆに対応する領域以外において、模様や文字やマーク等を印刷するようにしてもよい。例えば、ターゲットＴＧが指定された枠Ｆの付近に、ターゲットＴＧがどのようなものであるかを示す文字が記載できるようにしてもよい。
【００６４】
５−７．変形例７
図２４〜図２５は、本発明の変形例にかかる印刷システムのソフトウェア構成を示している。図２４に示すように、上述した実施形態のＬＵＧ Ｐ３ａに相当する構成がＰＤＶ Ｐ３ｂの内部モジュール（１Ｄ−ＬＵＴ作成部）として備えられていてもよい。また、図２５に示すように、上述した実施形態のＬＵＧ Ｐ３ａに相当する構成が他のコンピュータ１１０において実行されてもよい。この場合、コンピュータ１０とコンピュータ１１０とが所定の通信インターフェイスＣＩＦによって接続され、コンピュータ１１０のＬＵＧ Ｐ３ａにて生成された１Ｄ―ＬＵＴが通信インターフェイスＣＩＦを介してコンピュータ１０に送信される。通信インターフェイスＣＩＦは、インターネットを介在するものであってもよい。その場合、コンピュータ１０はインターネット上のコンピュータ１１０から取得した１Ｄ−ＬＵＴを参照して色変換を行うことができる。さらに、プリンタ２０が各ソフトウェア構成Ｐ１〜Ｐ５を実行するようにしてもよい。むろん、ソフトウェア構成Ｐ１〜Ｐ５と同等の処理を実行するハードウェアがプリンタ２０に組み込まれる場合にも、本発明を実現することができる。
【００６５】
５−８．変形例８
図２６Ａ、図２６Ｂは、本変形例にかかるＵＩ画面（ステップＳ１００において表示）を示している。前実施形態においては、ターゲット分光反射率Ｒt（λ）を実際に測定し、当該ターゲット分光反射率Ｒt（λ）とインデックスとを対応付けたインデックステーブルが用意されるようにしたが、予め多数のインデックスとターゲット分光反射率Ｒt（λ）とが登録されたインデックステーブルが用意されていてもよい。本変形例では、塗料メーカーが製造する各塗料について与えられたインデックスと、各塗料の塗布表面を測定したターゲット分光反射率Ｒt（λ）との対応関係を登録したインデックステーブルが予め用意されているものとする。当該インデックステーブルにおいては、上述した実施形態と同様に表示用ＲＧＢ値も登録されている。インデックステーブルが予め用意されている場合、ステップＳ１００では、見本チャートＳＣに再現したい塗料（インデックス）を選択するための処理がＡＰＬ Ｐ２によって行われる。
【００６６】
まず、図２６Ａに示すように、複数のサンプル画像データとユーザー画像データのサムネイルを一覧表示する。サンプル画像データは予めＨＤＤ １４に記憶された画像データであり、ユーザー画像データはデジタルスチルカメラ等の画像入力機器から取り込まれた画像データであり、ユーザー画像データ追加ボタンをクリックすることにより、追加することができる。また、インターネット上からダウンロードした画像データをユーザー画像データとして使用するようにしてもよい。各サムネイルはマウス５０ｂによってクリックすることが可能であり、最後にクリックされたサムネイルには枠が表示される。図２６ＡのＵＩ画面においては決定ボタンが設けられており、決定ボタンをクリックすることにより、枠が表示されているサムネイルに対応するユーザー画像データまたはサンプル画像データの選択が確定される。
【００６７】
選択が確定すると、図２６ＢのＵＩ画面に移行する。当該ＵＩ画面においては、確定したユーザー画像データまたはサンプル画像データの拡大サムネイルが表示される。図２６ＢのＵＩ画面においては、手動選択ボタンと自動選択ボタンとが設けられている。手動選択ボタンをクリックすると、拡大サムネイル上にマウスポインタを表示し、ドラッグ＆ドロップによりユーザーが所望する矩形状の指定領域の左上隅と右下隅の指定を受け付ける。すると、ＡＰＬ Ｐ２が指定された矩形領域に属する各画素をディスプレイ４０に表示するためのＲＧＢ値をＤＤＶ Ｐ５に対して問い合わせる。ＤＤＶ Ｐ５は、ディスプレイ４０に対して拡大サムネイルの各画素を表示するためのＲＧＢ値を出力しており、指定領域に属する各画素のＲＧＢ値を特定することができる。指定領域に属する各画素のＲＧＢ値が得られると、ＡＰＬ Ｐ２が各画素のＲＧＢ値を平均し、当該平均値を指定ＲＧＢ値とする。一方、自動選択ボタンをクリックすると、ＡＰＬ Ｐ２は拡大サムネイルの全画素のＲＧＢ値をＤＤＶ Ｐ５を取得し、これらのなかから最も代表的なＲＧＢ値を指定ＲＧＢ値とする。例えば、拡大サムネイルの全画素のＲＧＢ値のヒストグラムを作成し、最も度数が大きいＲＧＢ値を指定ＲＧＢ値としてもよい。以上のようにして指定ＲＧＢ値が得られると、当該指定ＲＧＢ値に最も近い表示用ＲＧＢ値をインデックステーブルにおいて検索する。ここでは、指定ＲＧＢ値と各表示用ＲＧＢ値のＲＧＢ空間におけるユークリッド距離が最も小さくなるインデックスを検索する。指定ＲＧＢ値とのユークリッド距離が最も小さい表示用ＲＧＢ値を最近似ＲＧＢ値と表記する。次に、公知の変換式により各表示用ＲＧＢ値（最近似ＲＧＢ値も含めて）をＨＳＶ値に変換する。
【００６８】
図２７は、各表示用ＲＧＢ値をＨＳＶ値に変換したものを、ＨＳＶ空間においてプロットした様子を示している。同図において、最近似ＲＧＢ値を変換したＨＳＶ値を点Ｑ０で示している。ＨＳＶ空間において、最近似ＲＧＢ値を変換したＨＳＶ値（Ｑ０）の色相角（Ｈ値）に対して±５度以内の断面扇形状の空間を特定する。すなわち、色相角が最近似ＲＧＢ値に近似する空間を特定する。次に、明度軸（Ｖ軸）と彩度軸（Ｓ軸）に対して４５度で交差する２本の補助軸ＳＡを生成し、当該補助軸ＳＡによって区切られた第１〜第４領域ＡＲ１〜ＡＲ４を定義する。第１領域ＡＲ１は、最近似ＲＧＢ値と色相角Ｈが近く、かつ、最近似ＲＧＢ値より明度Ｖが大きい特性を有する。また、第２領域ＡＲ２は、最近似ＲＧＢ値と色相角Ｈが近く、かつ、最近似ＲＧＢ値より彩度Ｓがわずかに小さい特性を有する。第３領域ＡＲ３は、最近似ＲＧＢ値と色相角Ｈが近く、かつ、最近似ＲＧＢ値より明度Ｖが小さい特性を有する。第４領域ＡＲ４は、最近似ＲＧＢ値と色相角Ｈが近く、かつ、最近似ＲＧＢ値より彩度Ｓが大きい特性を有する。
【００６９】
第１領域ＡＲ１に属し、かつ、点Ｑ０の明度Ｖに最も近い明度Ｖを有するＨＳＶ値に対応する表示用ＲＧＢ値（第１近似ＲＧＢ値、ＨＳＶ空間において点Ｑ１と表記。）をインデックステーブルにおいて検索する。同様に、第３領域ＡＲ３に属し、かつ、点Ｑ０の明度Ｖに最も近い明度Ｖを有するＨＳＶ値に対応する表示用ＲＧＢ値（第３近似ＲＧＢ値、ＨＳＶ空間において点Ｑ３と表記。）をインデックステーブルにおいて検索する。第１近似ＲＧＢ値は、最近似ＲＧＢ値に対して、色相角Ｈが近似し、かつ、最近似ＲＧＢ値よりわずかに明度Ｖが大きいものであると言うことができる。反対に、第３近似ＲＧＢ値は、最近似ＲＧＢ値に対して、色相角Ｈが近似し、かつ、わずかに明度Ｖが小さいものであると言うことができる。次に、第２領域ＡＲ２に属し、かつ、点Ｑ０の彩度Ｓに最も近い彩度Ｓを有するＨＳＶ値に対応する表示用ＲＧＢ値（第２近似ＲＧＢ値、ＨＳＶ空間において点Ｑ２と表記。）をインデックステーブルにおいて検索する。同様に、第４領域ＡＲ４に属し、かつ、点Ｑ０の彩度Ｓに最も近い彩度Ｓを有するＨＳＶ値に対応する表示用ＲＧＢ値（第４近似ＲＧＢ値、ＨＳＶ空間において点Ｑ４と表記。）をインデックステーブルにおいて検索する。第２近似ＲＧＢ値は、最近似ＲＧＢ値に対して、色相角Ｈが近似し、かつ、最近似ＲＧＢ値よりわずかに彩度Ｓが小さいものであると言うことができる。反対に、第４近似ＲＧＢ値は、最近似ＲＧＢ値に対して、色相角Ｈが近似し、かつ、わずかに彩度Ｓが小さいものであると言うことができる。
【００７０】
さらに、図２７に示すように、ＨＳＶ空間において、最近似ＲＧＢ値を変換したＨＳＶ値（Ｑ０）の明度Ｖおよび彩度Ｓに対して±５以内となる明度Ｖおよび彩度Ｓとなる円環状空間を特定する。すなわち、明度Ｖおよび彩度Ｓが最近似ＲＧＢ値に近似する空間を特定する。次に、当該円環状空間のうち最近似ＲＧＢ値を変換したＨＳＶ値よりも色相角Ｈが大きい領域を第５領域ＡＲ５とし、色相角Ｈが小さい領域を第６領域ＡＲ６とする。そして、第５領域ＡＲ５に属し、かつ、点Ｑ０に最も近い色相角Ｈを有するＨＳＶ値に対応する表示用ＲＧＢ値（第５近似ＲＧＢ値、ＨＳＶ空間において点Ｑ５と表記。）をインデックステーブルにおいて検索する。同様に、第６領域ＡＲ６に属し、かつ、点Ｑ０に最も近い色相角Ｈを有するＨＳＶ値に対応する表示用ＲＧＢ値（第６近似ＲＧＢ値、ＨＳＶ空間において点Ｑ６と表記。）をインデックステーブルにおいて検索する。第５近似ＲＧＢ値は、最近似ＲＧＢ値に対して、明度Ｖと彩度Ｓが近似し、かつ、最近似ＲＧＢ値よりわずかに色相角Ｈが大きいものであると言うことができる。反対に、第６近似ＲＧＢ値は、最近似ＲＧＢ値に対して、明度Ｖと彩度Ｓが近似し、かつ、最近似ＲＧＢ値よりわずかに色相角Ｈが小さいものであると言うことができる。以上のようにして、最近似ＲＧＢ値と、第１〜第６近似ＲＧＢ値が特定できると、次のＵＩ画面を表示させる。
【００７１】
図２８は、次に表示されるＵＩ画面を示している。当該ＵＩ画面においては、ＨＳＶ空間が局所的に示されており、ＨＳＶ軸がそれぞれ示されている。これらの軸の交点においては、最近似ＲＧＢ値で塗りつぶした矩形状の注目表示パッチＰＴ０が表示されている。一方、Ｖ軸上の明度Ｖが大きい側に第１近似ＲＧＢ値で塗りつぶした矩形状の第１表示パッチＰＴ１が表示され、Ｖ軸上の明度Ｖが小さい側に第３近似ＲＧＢ値で塗りつぶした矩形状の第３表示パッチＰＴ３が表示されている。また、Ｓ軸上の明度Ｓが大きい側に第４近似ＲＧＢ値で塗りつぶした矩形状の第４表示パッチＰＴ４が表示され、Ｓ軸上の明度Ｓが小さい側に第２近似ＲＧＢ値で塗りつぶした矩形状の第２表示パッチＰＴ２が表示されている。さらに、Ｈ軸上の色相角Ｈが大きい側に第５近似ＲＧＢ値で塗りつぶした矩形状の第５表示パッチＰＴ５が表示され、Ｈ軸上の色相角Ｈが小さい側に第６近似ＲＧＢ値で塗りつぶした矩形状の第６表示パッチＰＴ６が表示されている。
【００７２】
注目表示パッチＰＴ０は、インデックステーブルに登録された表示用ＲＧＢ値のうち、ユーザーが指定した指定ＲＧＢ値に最も近似するものによって表示されることとなる。すなわち、インデックステーブルに登録されたインデックス（塗料）のうち、ユーザーが指定した指定ＲＧＢ値に最も近似する塗料の色を示している。これに対して、第１〜第６表示パッチＰＴ１〜ＰＴ６は、インデックステーブルに登録されたインデックス（塗料）のうち、ユーザーが指定した指定ＲＧＢ値（最近似ＲＧＢ値）に対して近似する塗料であって、最近似ＲＧＢ値に対し色相Ｈ、明度Ｖ、彩度Ｓがわずかに相違する塗料の色を示しているということができる。これにより、ユーザーが指定した指定ＲＧＢ値に対して近似する塗料の色、および、これに近似する塗料の色を視認することができる。
【００７３】
図２８のＵＩ画面においては、調整ボタンと、見本チャート印刷ボタンとが設けられている。調整ボタンをクリックすると、ＡＰＬ Ｐ２がマウス５０ｂに対する操作を監視する。図示は省略するがマウス５０ｂには、クリックボタンの他にホイールも備えられている。調整ボタンをクリックした後、次にクリックボタンが操作されるまでの間、ＡＰＬ Ｐ２はマウス５０ｂの移動方向とホイールの回転を監視する。そして、マウス５０ｂの移動方向とホイールの回転に応じて、以下のように図２８のＵＩ画面を更新していく。
【００７４】
マウス５０ｂが上（奥）方向に所定量移動した場合には、最近似ＲＧＢ値を現在の第１近似ＲＧＢ値によって置き換える。最近似ＲＧＢ値を現在の第１近似ＲＧＢ値によって置き換えた上で、上述した手順によって新たな第１〜第６近似ＲＧＢ値を算出する。そして、新たな最近似ＲＧＢ値と第１〜第６近似ＲＧＢ値に基づいて、注目表示パッチＰＴ０と第１〜第６表示パッチＰＴ１〜ＰＴ６を表示するように図２８のＵＩ画面を更新する。これにより、注目表示パッチＰＴ０と第１〜第６表示パッチＰＴ１〜ＰＴ６が高明度側の塗料が示す色にシフトすることとなる。一方、マウス５０ｂが下（手前）方向に所定量移動した場合には、最近似ＲＧＢ値を現在の第３近似ＲＧＢ値によって置き換えた上で、新たな注目表示パッチＰＴ０と第１〜第６表示パッチＰＴ１〜ＰＴ６を表示するように図２８のＵＩ画面を更新する。これにより、注目表示パッチＰＴ０と第１〜第６表示パッチＰＴ１〜ＰＴ６が低明度側の塗料が示す色にシフトすることとなる。
【００７５】
マウス５０ｂが右方向に所定量移動した場合には、最近似ＲＧＢ値を現在の第４近似ＲＧＢ値によって置き換えた上で、新たな注目表示パッチＰＴ０と第１〜第６表示パッチＰＴ１〜ＰＴ６を表示するように図２８のＵＩ画面を更新する。同様に、マウス５０ｂが左方向に所定量移動した場合には、最近似ＲＧＢ値を現在の第２近似ＲＧＢ値によって置き換えた上で、新たな注目表示パッチＰＴ０と第１〜第６表示パッチＰＴ１〜ＰＴ６を表示するように図２８のＵＩ画面を更新する。マウス５０ｂのホイールが奥方向に所定量回転した場合には、最近似ＲＧＢ値を現在の第５近似ＲＧＢ値によって置き換えた上で、新たな注目表示パッチＰＴ０と第１〜第６表示パッチＰＴ１〜ＰＴ６を表示するように図２８のＵＩ画面を更新する。マウス５０ｂのホイールが手前方向に所定量回転した場合には、最近似ＲＧＢ値を現在の第６近似ＲＧＢ値によって置き換えた上で、新たな注目表示パッチＰＴ０と第１〜第６表示パッチＰＴ１〜ＰＴ６を表示するように図２８のＵＩ画面を更新する。
【００７６】
このようにすることにより、注目表示パッチＰＴ０の色を、第１〜第６表示パッチＰＴ１〜ＰＴ６のいずれかに変更していくことができる。すなわち、注目表示パッチＰＴ０の色を、インデックステーブルに登録された表示用ＲＧＢ値のなかで、高／低明度側および高／低彩度側および色相角の大／小側にシフトさせることができる。すなわち、マウス５０ｂの操作によってＨ軸・Ｓ軸・Ｖ軸に沿って注目表示パッチＰＴ０の色を遷移させていくことができ、感覚的に注目表示パッチＰＴ０の色を調整していくことができる。注目表示パッチＰＴ０と第１〜第６表示パッチＰＴ１〜ＰＴ６は、インデックステーブルから検索された表示用ＲＧＢ値に基づいて表示されるため、いずれかの塗料が示す色を表示することとなる。マウス５０ｂのクリックボタンがクリックされると、マウス５０ｂの操作に基づく図２８のＵＩ画面の更新処理を終了させる。これにより、ユーザーが納得のいく注目表示パッチＰＴ０を表示させたところで、図２８のＵＩ画面の更新を終了させることができる。
【００７７】
図２８のＵＩ画面において見本チャート印刷ボタンをクリックすると、図３のステップＳ１７０に移行し、印刷データを生成する。ここでは、基本的に図２８のＵＩ画面を印刷するための印刷データＰＤが生成される。すなわち、注目表示パッチＰＴ０と第１〜第６表示パッチＰＴ１〜ＰＴ６が印刷されることとなる。ここで、印刷データＰＤの画素のうち、注目表示パッチＰＴ０と第１〜第６表示パッチＰＴ１〜ＰＴ６に対応する領域以外の画素は、ＲＧＢ値を格納する。一方、注目表示パッチＰＴ０と第１〜第６表示パッチＰＴ１〜ＰＴ６に対応する画素については、インデックステーブルにおいて、注目表示パッチＰＴ０と第１〜第６表示パッチＰＴ１〜ＰＴ６を表示する表示用ＲＧＢ値に対応付けられたインデックスをＲＧＢ値の代わりに格納する。このようにすることにより、注目表示パッチＰＴ０と第１〜第６表示パッチＰＴ１〜ＰＴ６については、各インデックスに対応付けられた塗料のターゲット分光反射率Ｒt（λ）を再現する印刷が実行される。
【００７８】
以上のようにして印刷された見本チャートＳＣにおいては、ユーザーが拡大サムネイルにおいて領域指定等した色に近い色を示す塗料の分光反射率を再現する注目表示パッチＰＴ０を印刷することができる。また、当該注目表示パッチＰＴ０と近い色を示す塗料の分光反射率を再現する第１〜第６表示パッチＰＴ１〜ＰＴ６を印刷することができる。注目表示パッチＰＴ０の再現結果がユーザーの意図するものと多少異なるものとなった場合でも、注目表示パッチＰＴ０に近い色を示す第１〜第６表示パッチＰＴ１〜ＰＴ６のなかから所望の塗料を選択することができる。
【図面の簡単な説明】
【００７９】
【図１】印刷制御装置のハードウェア構成を示すブロック図である。
【図２】印刷制御装置のソフトウェア構成を示すブロック図である。
【図３】印刷データ生成処理の流れを示すフローチャートである。
【図４】ＵＩ画面の一例を示す図である。
【図５】分光反射率に基づいて色彩値を算出するための計算を説明する図である。
【図６】印刷データを示す図である。
【図７】インデックステーブルを示す図である。
【図８】印刷制御処理の全体的な流れを示すフローチャートである。
【図９】１Ｄ−ＬＵＴ生成処理の流れを示すフローチャートである。
【図１０】インク量セットを最適化する処理の流れを示す模式図である。
【図１１】インク量セットが最適化されていく様子を示す模式図である。
【図１２】１Ｄ−ＬＵＴを示す図である。
【図１３】印刷制御データ生成処理の流れを示すフローチャートである。
【図１４】３Ｄ−ＬＵＴを示す図である。
【図１５】プリンタの印刷方式を示す模式図である。
【図１６】分光反射率データベースを示す図である。
【図１７】分光ノイゲバウアモデルを示す図である。
【図１８】セル分割ユール・ニールセン分光ノイゲバウアモデルを示す図である。
【図１９】変形例にかかる重み関数を示す模式図である。
【図２０】変形例にかかる重み関数を示す模式図である。
【図２１】変形例にかかる重み関数を示す模式図である。
【図２２】変形例にかかるＵＩ画面を示す図である。
【図２３】変形例にかかる評価値を示す模式図である。
【図２４】変形例にかかる印刷システムのソフトウェア構成を示す図である。
【図２５】変形例にかかる印刷システムのソフトウェア構成を示す図である。
【図２６】変形例にかかるＵＩ画面を示す図である。
【図２７】ＨＳＶ空間を示す図である。
【図２８】変形例にかかるＵＩ画面を示す図である。
【符号の説明】
【００８０】
１０…コンピュータ、１１…ＣＰＵ、１２…ＲＡＭ、１３…ＲＯＭ、１４…ＨＤＤ、１５…ＧＩＦ、１６…ＶＩＦ、１７…ＩＩＦ、１８…バス、Ｐ１…ＯＳ、Ｐ１ａ…ＧＤＩ、Ｐ１ｂ…スプーラ、Ｐ２…ＡＰＬ、Ｐ２ａ…ＵＩＭ、Ｐ２ｂ…ＭＣＭ、Ｐ２ｃ…ＰＤＧ、Ｐ３ｂ…ＰＤＶ、Ｐ３ａ１…ＩＣＭ、Ｐ３ａ２…ＲＰＭ、Ｐ３ａ３…ＥＣＭ、Ｐ３ａ４…ＬＯＭ、Ｐ４…ＭＤＶ、Ｐ５…ＤＤＶ。
【図１】
0005182044.tif 000011
【図２】
0005182044.tif 000012
【図３】
0005182044.tif 000013
【図４】
0005182044.tif 000014
【図５】
0005182044.tif 000015
【図６】
0005182044.tif 000016
【図７】
0005182044.tif 000017
【図８】
0005182044.tif 000018
【図９】
0005182044.tif 000019
【図１０】
0005182044.tif 000020
【図１１】
0005182044.tif 000021
【図１２】
0005182044.tif 000022
【図１３】
0005182044.tif 000023
【図１４】
0005182044.tif 000024
【図１５】
0005182044.tif 000025
【図１６】
0005182044.tif 000026
【図１７】
0005182044.tif 000027
【図１８】
0005182044.tif 000028
【図１９】
0005182044.tif 000029
【図２０】
0005182044.tif 000030
【図２１】
0005182044.tif 000031
【図２２】
0005182044.tif 000032
【図２３】
0005182044.tif 000033
【図２４】
0005182044.tif 000034
【図２５】
0005182044.tif 000035
【図２６】
0005182044.tif 000036
【図２７】
0005182044.tif 000037
【図２８】
0005182044.tif 000038